(57)【要約】      （修正有）【課題】プレゼンテーションで用いられる映像表示装置において、プレゼンテーション資料表示中以外は、映像表示装置の表示画像を見えなくするあるいは代替画像の表示等に自動で切り替えることにより、予期せぬ重要な情報が含まれている可能性があるデスクトップ画像を非表示としてユーザーの利便性の向上を図る。【解決手段】プレゼンテーションで使用するアプリケーションソフトのコンピューター画面上で表示状態を検知し、アプリケーションソフトが最大化表示状態を検知した時には映像表示装置２から映像を投射し、その他の状態を検知した時は、映像を非表示状態とする。【選択図】図１
2011186572.tif 000002
【特許請求の範囲】
【請求項１】
複数のプログラムのそれぞれがウィンドウ表示動作するコンピュータと前記コンピュータの画像データを表示する映像表示装置が接続された映像表示システムにおいて、
前記コンピュータで動作する複数のプログラムのうちの少なくともひとつの映像出力プログラムと、
前記映像出力プログラムの表示状態を監視する監視プログラムとを有し、
前記監視プログラムは、前記映像出力プログラムの表示状態が所定の状態の場合に、映像出力プログラムの表示出力を有効にするかまたは無効にすることを特徴とする映像表示システム。
【請求項２】
請求項１に記載の映像表示システムにおいて、
前記コンピュータの外部映像出力端子と前記映像表示装置は映像伝送手段により接続され、
前記監視プログラムは、前記映像出力プログラムの表示状態が所定の状態の場合に、前記コンピュータの外部映像出力端子から前記映像出力プログラムの表示データを出力し、
上記以外の場合には、前記コンピュータの外部映像出力端子から前記映像出力プログラムの表示データを出力しないことを特徴とする映像表示システム。
【請求項３】
請求項１に記載の映像表示システムにおいて、
前記コンピュータの外部映像出力端子と前記映像表示装置は映像伝送手段により接続され、
前記監視プログラムは、前記映像伝送手段の映像データの表示状態が所定の状態の場合に、前記映像出力プログラムの表示データを表示するようにし、
上記以外の場合には、前記映像表示装置を所定の表示状態にすることを特徴とする映像表示システム。
【請求項４】
請求項１に記載の映像表示システムにおいて、
前記コンピュータと前記映像表示装置はデータ通信手段により接続され、
前記監視プログラムは、前記映像出力プログラムの表示状態が所定の状態の場合に、前記データ通信手段を介して前記コンピュータから前記映像表示装置に前記映像出力プログラムの表示データを転送し、
上記以外の場合には、前記データ通信手段を介して前記映像表示装置を所定の表示状態にすることを特徴とする映像表示システム。
【請求項５】
請求項１に記載の映像表示システムにおいて、
前記コンピュータと前記映像表示装置は映像伝送手段とデータ通信手段により接続され、
前記監視プログラムは、前記映像出力プログラムの表示状態が所定の状態の場合に、映像伝送手段を介して前記コンピュータから前記映像表示装置に前記映像出力プログラムの表示データを転送するとともに、前記データ通信手段により前記コンピュータから前記映像表示装置に映像表示命令が通知し、
上記以外の場合には、前記データ通信手段により前記コンピュータから前記映像表示装置に映像非表示命令が通知されることを特徴とする映像表示システム。
【請求項６】
請求項１〜５のいずれかに記載の映像表示システムにおいて、
前記監視プログラムは、前記映像出力プログラムの表示領域サイズが前記コンピュータから出力される映像信号の表示画面サイズにおよそ等しいか否かを検知することを特徴とする映像表示システム。
【請求項７】
請求項１〜５のいずれかに記載の映像表示システムにおいて、
前記監視プログラムは、前記映像出力プログラムの表示データあるいは前記コンピュータから出力される映像信号に特定情報が含まれるか否かを検知することを特徴とする映像表示システム。
【請求項８】
請求項２〜５のいずれかに記載の映像表示システムにおいて、
前記監視プログラムが前記映像出力プログラムの表示状態が所定の状態にないことを検知した場合ときに、
前記映像表示装置は、ユーザ設定の表示状態として記憶装置に保存されている画像データを表示することを特徴とする映像表示システム。
【請求項９】
請求項２〜５のいずれかに記載の映像表示システムにおいて、
前記監視プログラムが前記映像出力プログラムの表示状態が所定の状態にないことを検知した場合ときに、  前記映像表示装置は、特定の色で塗りつぶされた画像を表示することを特徴とする映像表示システム。
【請求項１０】
請求項２〜５のいずれかに記載の映像表示システムにおいて、
前記監視プログラムが前記映像出力プログラムの表示状態が所定の状態にないことを検知した場合ときに、前記映像表示装置は、光源の発光停止あるいは光源の遮光をおこなうことを特徴とする映像表示システム。
【請求項１１】
請求項２〜５のいずれかに記載の映像表示システムにおいて、
前記監視プログラムが前記映像出力プログラムの表示状態が所定の状態にないことを検知した場合ときに、前記映像表示装置は、映像輝度を下げることを特徴とする映像表示システム。
【請求項１２】
請求項２〜５のいずれかに記載の映像表示システムにおいて、
前記監視プログラムが前記映像出力プログラムの表示状態が所定の状態にないことを検知した場合ときに、前記映像表示装置は、映像輝度を下げることを特徴とする映像表示システム。
【請求項１３】
請求項２、４あるいは５のいずれかに記載の映像表示システムにおいて、
前記監視プログラムが前記映像出力プログラムの表示状態が所定の状態にないことを検知した場合ときに、前記映像表示装置は、前記コンピュータから伝送された特定の画像を表示することを特徴とする映像表示システム。
【発明の詳細な説明】
【技術分野】
【０００１】
本発明は、コンピューターの映像を表示することができる映像表示システムに係り、コンピュータの出力映像を表示出力制御に有用な制御技術に関する。
【背景技術】
【０００２】
パソコンに接続された液晶プロジェクター等を用いてプレゼンテーションを行う場合に、プレゼンテーション用アプリケーションソフトを用いてプレゼンテーション資料をパソコンの画面に表示し、そのパソコンと液晶プロジェクターを映像ケーブルで接続して、パソコンの画面表示と同じプレゼンテーション画像を液晶プロジェクターからスクリーンに映像を投射させることが一般的である。
【０００３】
このプレゼンテーションで用いられるパソコンはWindows(登録商標) OS等のウィンドウGUIを持つOSが搭載されている場合がある。ウィンドウGUIを持つOSは、デスクトップ画面上にアイコン等の様々な映像情報が配置されている、あるいは同時に他のアプリケーションソフトを動かせるという特徴がある。
【０００４】
パソコンを用いてプレゼンテーションを行う際、資料の検索やプレゼンテーション用アプリケーションソフトの起動等、パソコンの起動から目的の資料を表示させるまでにある程度の時間を要する。この間、パソコンの表示と液晶プロジェクターの同時表示を行なっているために、パソコンのデスクトップ画面がスクリーンに表示されることになる。このデスクトップ画面の表示はプレゼンテーション資料の切り替え等の作業を行う場合も同様である。
【０００５】
前述のようにパソコンのデスクトップ画面には様々な情報が含まれているが、デスクトップ画面の内容にプレゼンテーション実施者が注意を払うことが少ないため、このデスクトップ画面中の予期せぬ重要な情報が液晶プロジェクタによりスクリーンに表示されてしまう可能性がある。近年、情報セキュリティが重要視されており、この可能性を無視することはできない。
【０００６】
この問題に対しては、液晶プロジェクターに実装されている画面非表示機能(ブランキング機能)を用いるか、あるいはパソコンと映像表示装置を繋いでいる映像信号ケーブルを抜く、パソコン側の操作によりパソコンの外部映像出力端子の映像出力を無効にする等の信号源からの映像信号を切断することで対応していた。例えば、特許文献１には、映像信号を判定して映像ミューティング等の映像処理をおこなう技術が開示されている。
【先行技術文献】
【特許文献】
【０００７】
【特許文献１】特開２００４−２１０５４号公報
【発明の概要】
【発明が解決しようとする課題】
【０００８】
従来のパソコンと液晶プロジェクターを用いた映像表示装置システムでは、プレゼンテーションをおこなう操作者が、上記のように、液晶プロジェクターの表示状態に留意する必要があった。しかし、この手段は煩雑であり、また、忘れてしまうこともあるため、プレゼンテーションの聴衆に対して望ましくないデータが公開されてしまう問題点があった。
【０００９】
本発明は、上記事情を考慮してなされたもので、プレゼンテーションで用いられる映像表示装置において、プレゼンテーション資料表示中以外は、映像表示装置の表示画像を見えなくするあるいは代替画像の表示等に自動で切り替えることにより、ユーザーの利便性の向上を目的とする。
【課題を解決するための手段】
【００１０】
上記課題を解決するために、本願発明の複数のプログラムのそれぞれがウィンドウ表示動作するコンピュータと前記コンピュータの画像データを表示する映像表示装置が接続された映像表示システムは、前記コンピュータで動作する複数のプログラムのうちの少なくともひとつの映像出力プログラムと、前記映像出力プログラムの表示状態を監視する監視プログラムとを有する構成とし、前記監視プログラムは、前記映像出力プログラムの表示状態が所定の状態の場合に、映像出力プログラムの表示出力を有効にするかまたは無効にするようにした。
【００１１】
さらに、本願発明の映像表示装置は、前記コンピュータの外部映像出力端子と前記映像表示装置は映像伝送手段により接続されるようにし、前記監視プログラムは、前記映像出力プログラムの表示状態が所定の状態の場合に、前記コンピュータの外部映像出力端子から前記映像出力プログラムの表示データを出力し、上記以外の場合には、前記コンピュータの外部映像出力端子から前記映像出力プログラムの表示データを出力しないことした。
【００１２】
または、本願発明の映像表示装置は、前記コンピュータの外部映像出力端子と前記映像表示装置は映像伝送手段により接続されるようにし、前記監視プログラムは、前記映像伝送手段の映像データの表示状態が所定の状態の場合に、前記映像出力プログラムの表示データを表示するようにし、上記以外の場合には、前記映像表示装置を所定の表示状態にするようにした。
【発明の効果】
【００１３】
本願発明によれば、容易にプレゼンテーション映像のみを液晶プロジェクターに表示できるので、映像表示装置システムのセキュリティを向上することができる。
【図面の簡単な説明】
【００１４】
【図１】第１の実施例および第２の実施例における信号源の構成の一例を示すブロック図である。
【図２】第１の実施例におけるパソコンにインストールされたアプリケーションソフト監視アプリケーションソフトのおける動作を示すフローチャートである。
【図３（ａ）】第１の実施例および第２の実施例および第３の実施例におけるウィンドウGUIをもつOS上で表示される監視アプリケーションソフトの監視対象となるアプリケーションソフト最大化表示状態を示す図である。
【図３（ｂ）】第１の実施例および第２の実施例および第３の実施例におけるウィンドウGUIをもつOS上で表示される監視アプリケーションソフトの監視対象となるアプリケーションソフト最大化表示状態を示す図である。
【図３（ｃ）】第１の実施例および第２の実施例および第３の実施例におけるウィンドウＧＵＩをもつＯＳ上で表示される監視アプリケーションソフトの監視対象となるアプリケーションソフト最大化表示状態を示す図である。
【図４】第１の実施例における、信号源と映像表示装置が映像ケーブル以外の伝送方法で映像データを伝送する映像システムの構成の一例を示すブロック図である。
【図５】第２の実施例における、監視アプリケーションソフトの動作を示すフローチャートである。
【図６】第３の実施例における、信号源と映像表示装置の接続構成の一例を示すブロック図である。
【図７】第３の実施例における、監視アプリケーションソフトの動作を示すフローチャートである。
【図８】本発明の映像表示システムのブロック構成に示す。
【発明を実施するための形態】
【００１５】
本発明の映像表示システムは、プレゼンテーション等で表示したくない特定の画面表示状態を検出し、この検出結果により、実際の表示内容や表示出力を制御するようにしている。ここで、検出する画面表示状態は、プレゼンテーション等で表示する画面を検出して制御をおこなってもよい。
【００１６】
図8に、本発明の映像表示システムのブロック構成に示す。本発明の映像表示システムは、プレゼンテーション等の表示動作指示をおこなう操作部81と、プレゼンテーション等の表示情報を生成する表示情報生成部82と、表示情報を表示部84に出力する表示情報出力部83とにより、プレゼンテーション等の画像表示をおこなう。このとき、表示状態検出部85により表示情報を監視し、監視結果に基づいて表示制御部86により表示情報出力部83を制御して、表示部84に出力される画面表示を変更している。
【００１７】
また、本発明に係る映像表示システムは、複数のアプリケーションソフトを同時にまたは切り替えて動作させることができるコンピューターと映像表示装置が、映像ケーブルもしくはその他の映像データを転送できるケーブルで接続されている。プレゼンテーションで使用するアプリケーションソフトのコンピューター画面上で表示状態を検知し、アプリケーションソフトが表示画面全体に表示されているか、あるいは表示画面の８０％以上がそのアプリケーションソフトで占められている表示状態(以下、「最大化表示状態」という)を検知した時には映像表示装置から映像が投射され、その他の表示状態を検知した時は、ユーザーが指定した映像非表示状態とするようにする。
【００１８】
上記検知をコンピューターで行う場合は、監視アプリケーションソフトにて行い、アプリケーションソフトが最大化表示状態の時は、外部映像出力を有効し、その他の表示状態の時は外部映像出力を無効とする機能を有するようにする。映像表示装置は、外部映像出力の有効／無効により、表示状態を制御する。
【００１９】
上記監視アプリケーションソフトは、コンピューターの画面を取得し、USBもしくは無線LAN等の転送方法で画像データを転送するネットワークプレゼンテーションを行う場合は、コンピューターにプレゼンテーションデータ送信用アプリケーションソフトが必要となるため、この中に本機能を持たせてもよい。
【００２０】
また、シングルタスクOSが搭載されたコンピューターを使用している場合、使用するアプリケーションソフトにこの機能を持たせても良い。これは、マルチタスクOSにおいても使用可能である。
【００２１】
また、上記検知結果を、通信制御により映像表示装置に通知することも考えられる。通知された内容に基づき、映像表示装置は、映像表示状態とユーザーの指定した映像非表示状態を切り替える。
【００２２】
上記検知を映像表示装置で行う場合は、コンピューターから伝送された画像データ中のアプリケーションソフトが最大化表示状態の特徴的な部分、例えばWindows OSにおけるタスクバーおよび左端のスタートボタンが存在するかどうかを検知し、最大化表示状態とその他の表示状態を検知する機能と、前述の検知結果より、最大化表示状態を検知した場合は、伝送された画像データを表示し、最大化表示状態以外の場合は、ユーザーが指定した映像非表示状態にする機能を有するようにする。
【００２３】
ここで、前述のユーザーが指定した映像非表示状態は、特定の色で塗りつぶした画像を表示するブランキング表示が考えられる。また、メーカーのロゴ等の画像を表示してもよい。さらに、光源の発光停止や、あるいは光源を遮光することで実現しても良い。
【００２４】
以下に、発明の映像表示システムの実施形態を、より具体的に、説明する。実施例１と実施例３は、プレゼンテーション用のアプリケーションが動作するコンピュータと液晶プロジェクター等の映像表示装置が映像ケーブルまたは通信ケーブルにより接続される映像表示システムに本発明を適用したものである。実施例１と実施例3は、表示状態の検出結果による異なる映像表示の制御例を示したものである。実施例２は、プレゼンテーション用のアプリケーションが動作するコンピュータの内部に本発明を適用したものである。
【００２５】
なお、本実施の形態において、映像表示装置の信号源として、Windows OSが搭載されているパソコンを使用しているものとする。これは、Mac、Linux等のウィンドウGUIを持つOSが搭載されているパソコンを使用している場合も同様である。
【００２６】
また、本実施の形態において、映像表示装置として投射型液晶プロジェクターを使用するものとするが、映像表示装置の種類は問わない。各図において、共通な機能を有する構成要素には同一な符号を付して示し、また、繁雑さを避けるために、一度述べたものについてはその重複する説明を省略する。
【実施例１】
【００２７】
第１の実施例は、信号源に本発明を適用した第１の実施例について、図１、図２、図３、図４を用いて説明する。図１は本発明の実施の形態に係る信号源と映像表示装置の構成の一例を示すブロック図である。より具体的には、信号源として、液晶プロジェクタ等の映像表示装置にアプリケーションプログラムにより表示をおこなうPCが適用できる。
【００２８】
符号１は信号源、符号１０１は画像メモリ、符号１０２は画像生成部、符号１０３はアプリケーションソフト検知部、符号１０４は信号源制御部、符号１０５は外部映像出力切替部である。画像メモリ１０１、画像生成部１０２、アプリケーションソフト検知部１０３、外部出映像出力切替部１０５は、例えば信号源制御部１０４によって制御される。
【００２９】
図２は、アプリケーションソフト検知部１０３における動作を示すフローチャートである。本実施例において、信号源１は、図２に示すフローチャートに従い、アプリケーションソフトが最大化表示かその他の状態かの検知を行う。
【００３０】
図２の符号Ｓ００１は、開始ステップである。続いて符号Ｓ００２を付したステップへ進む。なお、開始ステップＳ００1の前に、本フローチャートを実行する監視アプリケーションソフトを信号源１にインストールしておく必要があり、また、初期設定として、監視対象となるアプリケーションソフトを登録する必要がある。
【００３１】
符号Ｓ００２は、OSメーカーより提供のあるソフトウェアインターフェースによって、監視対象アプリケーションソフトが最大化表示状態かその他の表示状態かの判定を行うステップである。例えば、OSのAPIであるGetWindowPlacement()等を用いる。
【００３２】
図３は、本発明の実施の形態に係るウィンドウGUIをもつOS上で動作する監視アプリケーションソフトの監視対象となるアプリケーションソフトの表示状態を示す図である。図３(a)はウィンドウの最大化表示状態、図３(b)はウィンドウの縮小表示状態を示し、図３(c)はウィンドウの最小化表示状態を示す。
【００３３】
符号３００は、パソコンの画像表示領域、符号３０１は、監視アプリケーションソフトの監視対象となるアプリケーションソフトの最大化表示状態、符号３０３は、監視アプリケーションソフトの監視対象となるアプリケーションソフトの縮小表示状態、符号３０４は、ウィンドウのタスクバー、符号３０５は、タスクバー上に表示されるスタートボタン、符号３０６は、監視アプリケーションソフトの監視対象となるアプリケーションソフトの最小化表示状態である。
【００３４】
符号Ｓ００２において、監視対象となるアプリケーションソフト最大化表示状態３０１ならば、符号Ｓ００２の判定により符号Ｓ００３を付したステップへ進む(Yes)。符号Ｓ００２において、監視対象アプリケーションソフトが縮小表示状態３０３および最小化表示状態３０６等のその他の表示状態ならば、符号Ｓ００２の判定により符号Ｓ００４を付したステップへ進む(No)。
【００３５】
符号Ｓ００３は、外部映像出力を有効にするステップであり、外部映像出力切替１０５を有効設定にする。符号Ｓ００４は、外部映像出力を無効にするステップであり、外部映像出力切替１０５を無効設定にする。
【００３６】
すなわちこの発明の実施の形態に係る映像表示システムにおいては、信号源側で、指定されたアプリケーションソフトの表示状態を検知する手段と、前述検知手段により得られた検知結果により、外部映像出力の有効設定と無効設定を切り替える手段を備えるように構成し、外部映像出力が有効のときに、映像ケーブルに映像信号を出力するようにする。
【００３７】
図４は本発明の実施の形態に係る信号源と映像表示装置が映像ケーブル以外の伝送方法で映像データを伝送する映像システムの構成の一例を示すブロック図である。たとえば、USBやLAN等の有線ケーブルや、無線LAN等の伝送方法を適用した場合である。
【００３８】
図４の符号１０９はネットワーク通信部、符号２１３はネットワーク通信部である。ここで、ネットワーク通信部１０９は、例えば信号源制御部１０４によって制御される。また、ネットワーク通信部２１３は、例えば映像表示装置制御部２０５によって制御される。
【００３９】
USBや無線LAN接続などにより、映像ケーブルを使用せずに、専用アプリケーションソフトがパソコン画像を取り込み、ネットワークケーブルを用いて映像表示装置に画像データの転送を行う場合にも、図４のようなシステム構成になる。
【００４０】
この場合、外部映像出力の有効設定と無効設定を切り替えるのではなく、監視対象アプリケーションソフトが最大化表示状態３０１の場合には、そのまま画像データを伝送し、最大化表示状態以外の場合には、画像データとして、映像表示装置に内蔵されたもしくは外部に接続された保存装置に保存された代替画像を伝送する等の方法も考えられる。あるいは、新規の画像データを送らないことで、それ以前の画像データを継続して転送することも可能である。
【００４１】
また、前述の代替画像を伝送する機能については、ネットワーク転送用画像取り込みアプリケーションソフトに持たせてもよい。上記のように構成することにより、この実施の形態においては、情報漏洩の防止に関して、ユーザーの利便性を向上させることができる。
【実施例２】
【００４２】
図１、図３、図５を用いて、映像表示装置に本発明を適用した第２の実施例について説明する。
図１は本発明の実施の形態に係る信号源と映像表示装置の構成の一例を示すブロック図である。符号２０２ は画像入力部、符号２０３は画像メモリ、符号２０４は画像処理部、符号２０５は映像表示装置制御部、符号２０６は、表示/非表示切替部である。画像メモリ２０３、画像処理部２０４、表示/非表示切替部２０６は、例えば映像表示装置制御部２０５によって制御される。ここで、画像メモリ２０３、画像処理部２０４は、たとえば半導体メモリで構成され、画像入力部２０２で取得した画像データに係る情報が保持されている。
【００４３】
本実施例において、映像表示装置２は、この画像メモリ２０３および画像処理部２０４に保持されている画像を検査し、アプリケーションソフトが最大化表示状態かその他の状態かの検知を行う。
【００４４】
図５は、本発明の実施の形態に係る映像表示装置の動作を示すフローチャートである。符号Ｓ００１は、開始ステップである。続いて符号Ｓ００２を付したステップへ進む。符号Ｓ００２において、入力された画像データが最大化表示の場合は、符号Ｓ００６を付したステップへ進む(Yes)。符号Ｓ００２において、入力された画像データがその他の表示状態ならば、符号Ｓ００７を付したステップへ進む(No)。
【００４５】
ここで、符号Ｓ００２においては、コンピューターから伝送された画像データ中のアプリケーションソフトが最大化表示状態の特徴的な部分、例えばウィンドウのタスクバー３０４および左端のスタートボタン３０５が存在するかどうかを検知する。タスクバー304やスタートボタン305を検出した場合には、最大化表示状態ではないとする。また、アプリケーションソフトに特有の表示パターンを決めて、このパターンの有無により最大化表示状態と判定するようにしてもよい。
【００４６】
符号Ｓ００６は、表示/非表示切替部２０６に対して表示を設定するステップである。符号Ｓ００７は、表示/非表示切替部２０６に対して非表示を設定するステップである。符号２０６で実行される非表示手段においては、特定の非表示用画像、例えばメーカーのロゴや単色で塗りつぶした画像に置き換えて表示することで、最大化表示状態の場合のみパソコンから伝送された画像データの表示を行うことを実現する。また、符号２０６で実行される非表示用の画面については、映像表示装置内部のメモリもしくは、制御線で接続された外部のメモリに保存された画像データを用いてもよい。非表示手段としては、上記のほかに例えば、光源からの光を遮る、あるいは光源の発光を停止することで実現しても良い。
【００４７】
すなわちこの発明の実施の形態に係る映像表示システムにおいては、伝送された画像データ内のアプリケーションソフトの表示状態を検知する手段と、前述検知結果により、映像表示と非表示を切り替える手段を備えるように構成している。
【００４８】
上記のように構成することにより、この実施の形態においては、情報の漏洩に関してユーザーの利便性を向上させることができ、また、非表示方法として光源の発光を停止する場合は更に消費電力の低減を実現することができ、また、不要な表示を制限することにより、光源や液晶パネル等の継続使用による部品劣化を防止し、寿命を延ばす映像表示装置を提供することができる
【実施例３】
【００４９】
図６、図７を用いて、信号源と映像表示装置が映像ケーブルおよび通信ケーブルで接続された映像表示システムに本発明を適用した第３の実施例について説明する。図６は本発明の実施の形態に係る信号源と映像表示装置の接続構成の一例を示すブロック図である。符号１１０は信号源通信部、符号２１５は映像表示装置通信部である。
【００５０】
ここで、画像メモリ１０１、画像生成部１０２、アプリケーションソフト１０３、外部映像出力切替部１０５、信号源通信部１１０は、例えば信号源制御部１０４によって制御される。また、画像メモリ２０３、画像処理部２０４、表示/非表示切替部２０６、映像表示装置通信部２１５は、例えば映像表示装置制御部２０５によって制御される。
【００５１】
図７は、本発明の実施の形態に係る監視アプリケーションソフトの動作を示すフローチャートであり、アプリケーションソフト検出１０３における動作を示す。本実施例において、信号源１は、図７に示すフローチャートに従い、アプリケーションソフトが最大化表示かその他の状態かを検知を行い、その検知結果を映像表示装置２に通信手段を用いて通知する。
【００５２】
符号Ｓ００１は、開始ステップである。続いて符号Ｓ００２を付したステップへ進む。なお、開始ステップＳ００1の前に、図７に示すフローチャートを実行する監視アプリケーションソフトを信号源１にインストールしておく必要があり、また、初期設定として、監視対象となるアプリケーションソフトを登録する必要がある。
【００５３】
符号Ｓ００２において、監視対象となるアプリケーションソフトが最大化表示の場合は、符号Ｓ００８を付したステップへ進む(Yes)。また、符号Ｓ００２において、監視対象アプリケーションソフトがその他の表示状態ならば、符号Ｓ００９を付したステップへ進む(No)。
【００５４】
符号Ｓ００８は、信号源通信部１１０を使用して、映像表示装置２に対して映像表示命令を発行するステップである。符号Ｓ００９は、信号源通信部１１０を使用して、映像表示装置２に対して映像非表示命令を発行するステップである。映像表示装置制御部２０５は、映像表示命令を受信した映像表示装置通信部２１５の受信内容に従い、表示/非表示切替部２０６に対して、映像表示命令もしくは映像非表示命令を実行する。
【００５５】
表示/非表示切替部２０６の非表示手段においては、特定の非表示用信号、例えばメーカーのロゴや単色で塗りつぶした画像に置き換えて表示することで、最大化表示状態の場合のみパソコンから伝送された画像データの表示を行うことを実現する。表示/非表示切り替え２０６の非表示用の画面については、映像表示装置内部のメモリもしくは、制御線で接続された外部のメモリに保存された画像データを用いる方法も考えられる。
【００５６】
上記代替画像データについては、通信用制御線で転送された画像データを用いてもよい。また、非表示にする手段としては、上記の他に例えば映像表示装置の場合、光源からの光をさえぎる、あるいは光源の発光を停止することで実現しても良い。
【００５７】
すなわちこの発明の実施の形態に係る映像表示システムにおいては、登録されたアプリケーションソフトの表示状態を検知する手段と、前述検知結果を通信手段により映像表示装置に通知し、映像出力表示と非表示を切り替える手段を備えるように構成している。
【００５８】
上記のように構成することにより、この実施の形態においては、ユーザーの利便性を向上させることができ、また、非表示方法として光源の発光を停止することで、消費電力の低減を実現することができ、また、光源や液晶パネルなどの、継続使用による部品劣化を防止し、寿命を延ばす映像表示装置を提供することができる。
【００５９】
なお、本発明は上記した実施の形態そのままに限定されるものではなく、実施段階ではその趣旨を逸脱しない範囲で構成要素を種々変形して具体化することが可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６０】
本発明の実施例によれば、指定したアプリケーションソフトが最大化表示状態の場合には、アプリケーションソフトの映像が表示され、その他の表示状態の場合には、ブランキング等のユーザーが指定した表示状態に切り替える作業が自動で実行されるため、ファイル操作中などにデスクトップ画面が表示されてしまうことによる情報の漏洩を防止し、ユーザーの利便性を向上させることができる。
【００６１】
また、前述のユーザーが指定した映像非表示状態として、メーカーのロゴや広告用画像を表示させる方法も考えられ、これにより、広告効果をもつ映像表示装置を提供することができる。
【００６２】
また、前述のユーザーが指定した映像非表示状態として光源の発光を停止する方法も考えられる。光源の発光を停止することにより、消費電力の低減を実現することができ、また、光源や液晶パネルなどの、継続使用による部品劣化を防止し、寿命を延ばす映像表示装置を提供することができる。
【符号の説明】
【００６３】
１…信号源、１０１…画像メモリ、１０２…画像生成部、１０３…アプリケーションソフト検知部、１０４…信号源制御部、１０５…外部映像出力切替部、１０９…ネットワーク通信部、１１０…信号源通信部、２…映像表示装置、２０２…画像入力部、２０３…画像メモリ、２０４…画像処理部、２０５…映像表示装置制御部、２０６…表示/非表示切替部、２１３…ネットワーク通信、２１５…映像表示装置通信部、３００…パソコンの画像表示領域、３０１…監視アプリケーションソフトの監視対象となるアプリケーションソフトの最大化表示状態、３０３…監視アプリケーションソフトの監視対象となるアプリケーションソフトの縮小表示状態、３０６…監視アプリケーションソフトの監視対象となるアプリケーションソフトの最小化表示状態
【図１】
2011186572.tif 000003
【図２】
2011186572.tif 000004
【図３（ａ）】
2011186572.tif 000005
【図３（ｂ）】
2011186572.tif 000006
【図３（ｃ）】
2011186572.tif 000007
【図４】
2011186572.tif 000008
【図５】
2011186572.tif 000009
【図６】
2011186572.tif 000010
【図７】
2011186572.tif 000011
【図８】
2011186572.tif 000012